(57)【要約】【課題】発光素子からの直射光を、その前方側に配置されたレンズで偏向制御するするように構成された車両用灯具において、太陽光によって発光素子や光源支持部材が不用意に高温になってしまうのを未然に防止する。【解決手段】発光素子４２とレンズ４４との間に、発光素子４２からの直射光がレンズ４４に入射するのを許容する一方、太陽光がレンズ４４を介して発光素子４２や光源支持部材４８に到達するのを制限する太陽光制限部材５０が配置された構成とする。これにより、レンズ４４の集光作用によって発光素子４２や光源支持部材４８が高温になってしまうのを未然に防止する。その際、日中の強烈な太陽光は透光カバー５２に対して斜め上方から照射されるので、太陽光制限部材５０を配置しても、発光素子４２からの直射光がレンズ４４に入射するのを許容することが十分可能である。【選択図】図３
2015076364.tif 000002
【特許請求の範囲】
【請求項１】
発光素子とこの発光素子の前方側に配置されたレンズとを備え、上記発光素子からの直射光を上記レンズで偏向制御することにより所要の配光パターンを形成するように構成された車両用灯具において、
上記発光素子と上記レンズとの間に、上記発光素子からの直射光が上記レンズに入射するのを許容する一方、太陽光が上記レンズを介して上記発光素子および／または該発光素子を支持する光源支持部材に到達するのを制限する太陽光制限部材が配置されている、ことを特徴とする車両用灯具。
【請求項２】
上記太陽光制限部材において太陽光を制限するための太陽光制限要素が、灯具正面視において上記発光素子を囲むように環状に配置されている、ことを特徴とする請求項１記載の車両用灯具。
【請求項３】
上記所要の配光パターンとして、上端部にカットオフラインを有する配光パターンを形成するように構成されており、
上記太陽光制限部材に、上記発光素子からの直射光の一部を上向きに反射させて上記レンズから上記カットオフラインよりも上方へ向かう光として出射させる反射面が形成されている、ことを特徴とする請求項１または２記載の車両用灯具。
【請求項４】
上記太陽光制限部材が、金属板に曲げ加工を施すことにより構成されており、
上記反射面が、上記太陽光制限部材の前面の一部に鏡面処理を施すことにより構成されている、ことを特徴とする請求項３記載の車両用灯具。
【請求項５】
上記発光素子が、透光カバーとランプボディとで形成される灯室内に配置されており、
上記レンズが、上記透光カバーの一部として構成されている、ことを特徴とする請求項１〜４いずれか記載の車両用灯具。
【請求項６】
上記車両用灯具が、並列に配置された第１および第２灯具ユニットを備えてなる二輪車用前照灯として構成されており、
上記各灯具ユニットが、上記発光素子、上記レンズおよび上記太陽光制限部材を備えており、
上記第１灯具ユニットが、上記発光素子からの直射光を上記レンズで偏向制御することによりハイビーム用配光パターンを形成するように構成されており、
上記第２灯具ユニットが、上記発光素子からの直射光を上記レンズで偏向制御することによりロービーム用配光パターンを形成するように構成されており、
上記第１灯具ユニットの太陽光制限部材における前面の全領域に黒色塗装が施されており、
上記第２灯具ユニットの太陽光制限部材における前面の一部領域に鏡面処理が施されるとともに該一部領域以外の領域に黒色塗装が施されており、
上記一部領域が、上記発光素子からの直射光の一部を上向きに反射させて上記レンズから上記ロービーム用配光パターンのカットオフラインよりも上方へ向かう光として出射させる反射面として構成されている、ことを特徴とする請求項１または２記載の車両用灯具。
【発明の詳細な説明】
【技術分野】
【０００１】
本願発明は、発光素子からの直射光を、その前方側に配置されたレンズで偏向制御するように構成された車両用灯具に関するものである。
【背景技術】
【０００２】
従来より、例えば「特許文献１」〜「特許文献３」に記載されているように、発光素子からの直射光を、その前方側に配置されたレンズで偏向制御することにより、所要の配光パターンを形成するように構成された車両用灯具が知られている。
【０００３】
これらの車両用灯具においては、そのレンズが、所要の配光パターンを形成するために凸レンズ状に形成されている。
【先行技術文献】
【特許文献】
【０００４】
【特許文献１】特開２００５−０４４６８３号公報
【特許文献２】特開２００７−３３５３０１号公報
【特許文献３】特開２００７−１８４２３９号公報
【発明の概要】
【発明が解決しようとする課題】
【０００５】
このような車両用灯具に対して、日中の強烈な太陽光が照射されると、そのレンズの集光作用によって発光素子やこれを支持する光源支持部材が高温になってしまい、その機能が損なわれてしまうおそれがある、という問題がある。
【０００６】
本願発明は、このような事情に鑑みてなされたものであって、発光素子からの直射光を、その前方側に配置されたレンズで偏向制御するように構成された車両用灯具において、太陽光によって発光素子や光源支持部材が不用意に高温になってしまうのを未然に防止することができる車両用灯具を提供することを目的とするものである。
【課題を解決するための手段】
【０００７】
本願発明は、発光素子と上記レンズとの間に所定の太陽光制限部材が配置された構成とすることにより、上記目的達成を図るようにしたものである。
【０００８】
すなわち、本願発明に係る車両用灯具は、
発光素子とこの発光素子の前方側に配置されたレンズとを備え、上記発光素子からの直射光を上記レンズで偏向制御することにより所要の配光パターンを形成するように構成された車両用灯具において、
上記発光素子と上記レンズとの間に、上記発光素子からの直射光が上記レンズに入射するのを許容する一方、太陽光が上記レンズを介して上記発光素子および／または該発光素子を支持する光源支持部材に到達するのを制限する太陽光制限部材が配置されている、ことを特徴とするものである。
【０００９】
上記「発光素子」の種類は特に限定されるものではなく、例えば発光ダイオード等が採用可能である。
【００１０】
上記「レンズ」は、発光素子からの直射光をレンズで偏向制御することにより所要の配光パターンを形成するように構成されていれば、その具体的な構成は特に限定されるものではない。
【００１１】
上記「所要の配光パターン」の種類は特に限定されるものではなく、例えば、ロービーム用配光パターン、ハイビーム用配光パターン、フォグランプ用配光パターン等が採用可能である。
【００１２】
上記「太陽光制限部材」は、発光素子からの直射光がレンズに入射するのを許容する一方、太陽光がレンズを介して発光素子および／または光源支持部材に到達するのを制限するように構成されていれば、その具体的な形状や材質あるいは発光素子とレンズとの間において配置される具体的な位置等は特に限定されるものではない。
【発明の効果】
【００１３】
上記構成に示すように、本願発明に係る車両用灯具は、発光素子からの直射光を、その前方側に配置されたレンズで偏向制御することにより、所要の配光パターンを形成するように構成されているが、発光素子とレンズとの間には、発光素子からの直射光がレンズに入射するのを許容する一方、太陽光がレンズを介して発光素子および／または光源支持部材に到達するのを制限する太陽光制限部材が配置されているので、次のような作用効果を得ることができる。
【００１４】
すなわち、太陽光制限部材の存在により、太陽光がレンズを介して発光素子や光源支持部材に到達するのが制限されるので、レンズに日中の強烈な太陽光が照射されるようなことがあっても、そのレンズの集光作用によって発光素子や光源支持部材が高温になってしまうのを未然に防止することができる。
【００１５】
その際、日中の強烈な太陽光はレンズに対して斜め上方から照射されるので、太陽光がレンズを介して発光素子や光源支持部材に到達するのを制限するように太陽光制限部材を配置しても、発光素子からの直射光がレンズに入射するのを許容することが十分可能である。
【００１６】
このように本願発明によれば、発光素子からの直射光を、その前方側に配置されたレンズで偏向制御するように構成された車両用灯具において、太陽光によって発光素子や光源支持部材が不用意に高温になってしまうのを未然に防止することができる。そしてこれにより、発光素子や光源支持部材の機能が損なわれてしまうのを未然に防止することができる。
【００１７】
上記構成において、太陽光制限部材の構成として、太陽光を制限するための太陽光制限要素が、灯具正面視において発光素子を囲むように環状に配置された構成とすれば、太陽光がレンズを介して発光素子や光源支持部材に到達するのを、より効果的に制限することができる。また、このような構成を採用することにより、太陽光制限部材の剛性を十分に確保することができる。
【００１８】
上記構成において、所要の配光パターンとして、上端部にカットオフラインを有する配光パターンを形成するように構成した上で、太陽光制限部材に、発光素子からの直射光の一部を上向きに反射させてレンズからカットオフラインよりも上方へ向かう光として出射させる反射面が形成された構成とすれば、この反射面からの反射光によって、車両前方路面の上方に設置された頭上標識を照射することができる。
【００１９】
その際、太陽光制限部材を金属板に加工を施すことにより構成した上で、その前面の一部に鏡面処理を施すことにより上記反射面を構成すれば、安価な構成で頭上標識の照射を効率的に行うことができる。
【００２０】
上記構成において、発光素子が透光カバーとランプボディとで形成される灯室内に配置された構成とした上で、レンズが透光カバーの一部として構成されたものとすれば、コンパクトな灯具構成を実現することができる。また、このような構成を採用した場合には、レンズによって集光した太陽光が発光素子や光源支持部材に到達しやすくなるので、本願発明の構成を採用することが特に効果的である。
【００２１】
上記構成において、車両用灯具が、並列に配置された第１および第２灯具ユニットを備えてなる二輪車用前照灯として構成されたものとすることも可能である。
【００２２】
その際、これら各灯具ユニットを、発光素子、レンズおよび太陽光制限部材を備えた構成とした上で、第１灯具ユニットとして、発光素子からの直射光をレンズで偏向制御することによりハイビーム用配光パターンを形成する構成とするとともに、第２灯具ユニットとして、発光素子からの直射光をレンズで偏向制御することによりロービーム用配光パターンを形成する構成とすることが可能である。
【００２３】
その上で、第１灯具ユニットについては、その太陽光制限部材における前面の全領域に黒色塗装が施された構成とし、一方、第２灯具ユニットについては、その太陽光制限部材における前面の一部領域に鏡面処理が施されるとともに該一部領域以外の領域に黒色塗装が施された構成とした上で、その一部領域を、発光素子からの直射光の一部を上向きに反射させてレンズからロービーム用配光パターンのカットオフラインよりも上方へ向かう光として出射させる反射面として構成すれば、次のような作用効果を得ることができる。
【００２４】
すなわち、第１灯具ユニットと第２灯具ユニットとが、その光学的な機能に基づいて互いに異なる構成を有しているにもかかわらず、外観上の差異を最小限に抑えることができ、これにより灯具全体としての意匠上の統一性を高めることができる。
【図面の簡単な説明】
【００２５】
【図１】本願発明の一実施形態に係る車両用灯具を示す正面図
【図２】上記車両用灯具の第２灯具ユニットを示す正面図
【図３】図２のIII−III線断面図
【図４】図２のIV−IV線断面図
【図５】上記車両用灯具における第１および第２灯具ユニットの太陽光制限部材を単品で示す斜視図
【図６】上記車両用灯具から前方へ照射される光により、車両前方２５ｍの位置に配置された仮想鉛直スクリーン上に形成されるロービーム用配光パターンを透視的に示す図
【図７】上記第２灯具ユニットの太陽光制限部材の変形例を示す、図５（ｂ）と同様の図
【発明を実施するための形態】
【００２６】
以下、図面を用いて、本願発明の実施の形態について説明する。
【００２７】
図１は、本願発明の一実施形態に係る車両用灯具１０を示す正面図である。
【００２８】
同図に示すように、この車両用灯具１０は、二輪車用前照灯であって、左右方向に並列に配置された第１および第２灯具ユニット２０、４０と、これらを囲むように配置されたパネル部材１２とを備えた構成となっている。
【００２９】
第１灯具ユニット２０は、発光素子２２と、この発光素子２２の前方側に配置されたレンズ２４とを備えた構成となっており、その発光素子２２からの直射光をレンズ２４で偏向制御することによりハイビーム用配光パターンを形成するように構成されている。
【００３０】
第２灯具ユニット４０は、発光素子４２と、この発光素子４２の前方側に配置されたレンズ４４とを備えた構成となっており、その発光素子４２からの直射光をレンズ４４で偏向制御することによりロービーム用配光パターンを形成するように構成されている。
【００３１】
まず、第２灯具ユニット４０の構成について説明する。
【００３２】
図２は、第２灯具ユニット４０を示す正面図である。また、図３は、図２のIII−III線断面図であり、図４は、図２のIV−IV線断面図である。
【００３３】
これらの図に示すように、この第２灯具ユニット４０においては、その発光素子４２が、透光カバー５２とランプボディ５４とで形成される灯室内に配置されている。
【００３４】
上記レンズ４４は、透光カバー５２の一部として構成されており、凸レンズ状に形成されている。その際、このレンズ４４の前面４４ａは、パネル部材１２の表面形状に沿った第１の自由曲面で構成されており、その後面４４ｂは、この第１の自由曲面に応じて設定された第２の自由曲面で構成されている。
【００３５】
透光カバー５２は、レンズ４４の外周縁部から後方へ向けて延びる環状の脚部５２ａを備えている。そして、この透光カバー５２は、その脚部５２ａの後端面においてランプボディ５４に固定されている。
【００３６】
発光素子４２は、白色発光ダイオードであって、その発光チップ４２ａは横長矩形状（例えば、縦１ｍｍ×横４ｍｍ程度の矩形）の発光面を有している。この発光素子４２は、その発光チップ４２ａを灯具正面方向へ向けるようにして配置されている。そして、この発光素子４２は、樹脂製の光源支持部材４８に位置決めされた状態でヒートシンク４６に固定されている。光源支持部材４８は、灯具正面視において横長矩形状の外形形状を有している。
【００３７】
ヒートシンク４６は、発光チップ４２ａの発光中心を通るようにして灯具前後方向に延びる軸線Ａｘと直交する平面に沿って延びる金属板（例えばアルミニウム板）の後面に複数の冷却フィン４６ａが形成された構成となっている。そして、このヒートシンク４６は、その外周縁部においてランプボディ５４に固定されている。
【００３８】
発光素子４２と透光カバー５２との間には、発光素子４２からの直射光がレンズ４４に入射するのを許容する一方、太陽光がレンズ４４を介して発光素子４２や光源支持部材４８に到達するのを制限する太陽光制限部材５０が配置されている。
【００３９】
この太陽光制限部材５０は、光源支持部材４８の前方近傍において軸線Ａｘと直交する平面に沿って延びるように配置されており、灯具正面視において発光素子４２を囲むように環状に形成されている。
【００４０】
図５（ｂ）は、太陽光制限部材５０を単品で示す斜視図である。
【００４１】
同図にも示すように、この太陽光制限部材５０は、金属板に曲げ加工を施すことにより構成されている。その際、この太陽光制限部材５０は、灯具正面視において横長矩形状の外形形状を有しており、その大きさは光源支持部材４８の外形形状と略同じ大きさに設定されている。また、この太陽光制限部材５０は、軸線Ａｘを中心とする横長矩形状の領域が開口部５０ａとして構成されている。
【００４２】
そして、この太陽光制限部材５０は、図３において実線で示すように、その開口部５０ａにおいて発光素子４２からの直射光がレンズ４４に入射するのを許容する一方、図３において２点鎖線で示すように、その開口部５０ａの周囲の環状部分において、太陽光がレンズ４４を介して発光素子４２や光源支持部材４８に到達するのを阻止するようになっている。すなわち、本実施形態においては、太陽光制限部材５０において太陽光を制限するための太陽光制限要素が、金属製の太陽光制限部材５０自体を灯具正面視において発光素子４２を囲むように環状に形成することにより構成されている。
【００４３】
この太陽光制限部材５０には、その上端縁の右側端部（灯具正面視では左側端部）と下端縁の右側端部と左側端縁の上端部との３箇所に、後方へ向けて延びる取付ブラケット５０ｂが延長形成されている。そして、この太陽光制限部材５０は、各取付ブラケット５０ｂの後端部においてネジ５６を介してヒートシンク４６に固定されている。
【００４４】
さらに、この太陽光制限部材５０には、その下端縁における左右方向の中央部分に、前方へ向けて帯状に延びる突起片５０ｃが延長形成されている。この突起片５０ｃは、太陽光制限部材５０の下端縁から前方へ向けて水平に延びるとともに、その先端部が斜め下前方へ向けて延びるように形成されている。
【００４５】
この太陽光制限部材５０の前面は、突起片５０ｃの先端部に位置する部分が、アルミ蒸着等の鏡面処理が施された反射面５０ｄとして構成されており、それ以外の部分は黒色塗装が施された非反射面５０ｅとして構成されている。
【００４６】
反射面５０ｄは、発光素子４２からの直射光の一部を上向きに反射させてレンズ４４からやや上向きの光として出射させるようになっている。
【００４７】
次に、第１灯具ユニット２０の構成について説明する。
【００４８】
図１に示すように、この第１灯具ユニット２０は、基本的に第２灯具ユニット４０に対して左右対称の構成を有しているが、そのレンズ２４および太陽光制限部材６０の構成が第２灯具ユニット４０の場合と一部異なっている。
【００４９】
すなわち、第１灯具ユニット２０のレンズ２４は、発光素子２２からの直射光を偏向制御してハイビーム用配光パターンを形成するため、その後面を構成する第２の自由曲面の形状が第２灯具ユニット４０のレンズ４４の場合と異なっている。
【００５０】
図５（ａ）は、第１灯具ユニット２０の太陽光制限部材６０を単品で示す斜視図である。
【００５１】
同図にも示すように、この太陽光制限部材６０は、第２灯具ユニット４０の太陽光制限部材５０に対して左右対称の形状を有しており、太陽光制限部材５０と同様の開口部６０ａと３つの取付ブラケット６０ｂとを備えている。ただし、この太陽光制限部材６０は、太陽光制限部材５０のような突起片５０ｃは備えておらず、その前面の全領域が黒色塗装が施された非反射面６０ｅとして構成されている。
【００５２】
図６は、第２灯具ユニット４０から前方へ照射される光により、車両前方２５ｍの位置に配置された仮想鉛直スクリーン上に形成されるロービーム用配光パターンＰＬを透視的に示す図である。
【００５３】
このロービーム用配光パターンＰＬは、基本配光パターンＰ０と付加配光パターンＰＡとの合成配光パターンとして形成されている。
【００５４】
基本配光パターンＰ０は、灯具正面方向の消点であるＨ−Ｖを通る鉛直線であるＶ−Ｖ線を中心にして左右両側に大きく拡がる横長の配光パターンであって、その上端部には略水平方向に延びるカットオフラインＣＬが形成されている。その際、カットオフラインＣＬは、Ｈ−Ｖを通る水平線であるＨ−Ｈ線の僅かに下方に位置するように形成されている。
【００５５】
この基本配光パターンＰ０は、発光素子４２からの直射光をレンズ４４で偏向制御することにより形成される配光パターンである。
【００５６】
これを実現するため、レンズ４４においては、第１の自由曲面で構成された前面４４ａの各位置において目標出射角を設定した上で、発光素子４２からレンズ４４に到達した光が上記目標出射角に対応する光路でレンズ４４に入射するよう、その後面４４ｂを構成する第２の自由曲面の形状が設定されている。
【００５７】
一方、付加配光パターンＰＡは、車両走行路前方の頭上標識ＯＨＳを照射するための配光パターンであって、Ｈ−Ｈ線のやや上方においてＶ−Ｖ線を中心にして左右両側に拡がる横長の配光パターンとして形成されている。
【００５８】
この付加配光パターンＰＡは、発光素子４２から出射して太陽光制限部材５０の反射面５０ｄで上向きに反射した光によって形成される配光パターンである。
【００５９】
その際、この付加配光パターンＰＡの上下方向の形成位置は、反射面５０ｄの傾斜角度によって調整可能であり、また、この付加配光パターンＰＡの左右方向の拡がりは、反射面５０ｄの左右幅によって調整可能である。
【００６０】
一方、同図において２点鎖線で示す配光パターンは、第１灯具ユニット２０からの照射光によって形成されるハイビーム用配光パターンＰ１である。
【００６１】
このハイビーム用配光パターンＰ１は、Ｈ−Ｖを中心にして左右両側に比較的大きく拡がる横長の配光パターンとして形成されている。
【００６２】
そして、このハイビーム用配光パターンＰ１とロービーム用配光パターンＰＬとの合成配光パターンとして、ハイビームとしての全体の配光パターンが形成されるようになっている。
【００６３】
次に本実施形態の作用効果について説明する。
【００６４】
本実施形態に係る車両用灯具１０は、その第２灯具ユニット４０が、発光素子４２からの直射光を、その前方側に配置されたレンズ４４で偏向制御することにより、ロービーム用配光パターンＰＬの基本配光パターンＰ０を形成するように構成されており、その発光素子４２は透光カバー５２とランプボディ５４とで形成される灯室内に配置されているが、そのレンズ４４は透光カバー５２の一部として構成されているので、第２灯具ユニット４０をコンパクトに構成することができる。
【００６５】
その上で、この第２灯具ユニット４０においては、発光素子４２と透光カバー５２との間に、発光素子４２からの直射光がレンズ４４に入射するのを許容する一方、太陽光がレンズ４４を介して発光素子４２や光源支持部材４８に到達するのを制限する太陽光制限部材５０が配置されているので、次のような作用効果を得ることができる。
【００６６】
すなわち、太陽光制限部材５０の存在により、太陽光がレンズ４４を介して発光素子４２や光源支持部材４８に到達するのが制限されるので、透光カバー５２に日中の強烈な太陽光が照射されるようなことがあっても、そのレンズ４４の集光作用によって発光素子４２や光源支持部材４８が高温になってしまうのを未然に防止することができる。
【００６７】
その際、日中の強烈な太陽光は、図３において２点鎖線で示すように、透光カバー５２に対して斜め上方から照射されるので、太陽光がレンズ４４を介して発光素子４２や光源支持部材４８に到達するのを制限するように太陽光制限部材５０を配置しても、発光素子４２からの直射光がレンズ４４に入射するのを許容することが十分可能である。
【００６８】
このように本実施形態によれば、発光素子４２からの直射光を、その前方側に配置されたレンズ４４で偏向制御するように構成された第２灯具ユニット４０において、太陽光によって発光素子４２や光源支持部材４８が不用意に高温になってしまうのを未然に防止することができる。そしてこれにより、発光素子４２や光源支持部材４８の機能が損なわれてしまうのを未然に防止することができる。
【００６９】
特に本実施形態においては、レンズ４４が透光カバー５２の一部として構成されており、このレンズ４４によって集光した太陽光が発光素子４２や光源支持部材４８に到達しやすくなるので、本実施形態の構成を採用することが特に効果的である。
【００７０】
また本実施形態においては、太陽光制限部材５０において太陽光を制限するための太陽光制限要素が、金属製の太陽光制限部材５０自体を灯具正面視において発光素子４２を囲むように環状に形成することにより構成されているので、太陽光がレンズ４４を介して発光素子４２や光源支持部材４８に到達するのを、より効果的に制限することができる。また、このような構成を採用することにより、太陽光制限部材５０の剛性を十分に確保することができる。
【００７１】
以上の点に関しては、第１灯具ユニット２０においても同様の作用効果を得ることができる。
【００７２】
本実施形態においては、第２灯具ユニット４０からの照射光により上端部にカットオフラインＣＬを有するロービーム用配光パターンＰＬを形成するようになっているが、その太陽光制限部材５０には、発光素子４２からの直射光の一部を上向きに反射させてレンズ４４からカットオフラインＣＬよりも上方へ向かう光として出射させる反射面５０ｄが形成されているので、この反射面５０ｄからの反射光によって形成される付加配光パターンＰＡにより、車両前方路面の上方に設置された頭上標識ＯＨＳを照射することができる。
【００７３】
その際、太陽光制限部材５０は、金属板に加工を施すことにより構成されており、その前面の一部に鏡面処理を施すことにより反射面５０ｄが構成されているので、安価な構成で頭上標識ＯＨＳの照射を効率的に行うことができる。
【００７４】
本実施形態に係る車両用灯具１０は、ハイビーム用の第１灯具ユニット２０とロービーム用の第２灯具ユニット４０とが並列に配置されてなる二輪車用前照灯として構成されているが、第１灯具ユニット２０の太陽光制限部材６０は、その前面の全領域に黒色塗装が施されており、一方、第２灯具ユニット４０の太陽光制限部材５０は、その前面の一部領域に鏡面処理が施されるとともにそれ以外の領域に黒色塗装が施された構成となっているので、次のような作用効果を得ることができる。
【００７５】
すなわち、第１灯具ユニット２０と第２灯具ユニット４０とが、その光学的な機能に基づいて互いに異なる構成を有しているにもかかわらず、外観上の差異を最小限に抑えることができ、これにより灯具全体としての意匠上の統一性を高めることができる。
【００７６】
上記実施形態においては、第２灯具ユニット４０のレンズ４４が透光カバー５２の一部として構成されているものとして説明したが、レンズ４４が透光カバー５２とは別体で灯室内に配置されている場合であっても、上記実施形態と同様の構成を採用することにより、上記実施形態と同様の作用効果を得ることができる。
【００７７】
上記実施形態においては、太陽光制限部材５０として、その開口部５０ａの周囲の環状部分が、太陽光を制限するための太陽光制限要素として構成されているものとして説明したが、開口部５０ａの周囲の一部のみ（例えば開口部５０ａの下側に位置する部分のみ）が太陽光制限要素として構成されたものとすることも可能である。
【００７８】
次に、上記実施形態の変形例について説明する。
【００７９】
図７は、上記実施形態の第２灯具ユニット４０における太陽光制限部材５０の変形例に係る太陽光制限部材１５０を示す、図５（ｂ）と同様の図である。
【００８０】
同図に示すように、この太陽光制限部材１５０は、無色透明の樹脂成形品として構成されている。
【００８１】
この太陽光制限部材１５０は、上記実施形態の太陽光制限部材５０と同様、灯具正面視において横長矩形状の外形形状を有しており、その大きさは太陽光制限部材５０の外形形状と同じ大きさに設定されている。また、この太陽光制限部材１５０は、軸線Ａｘを中心とする横長矩形状の領域が素通し部１５０ｆとして構成されており、その周囲の環状部分の前面には複数の拡散レンズ素子１５０ｓが縦縞状に形成されている。その際、これら各拡散レンズ素子１５０ｓは、凸曲線状の水平断面形状を有する凸状シリンドリカルレンズで構成されている。
【００８２】
そして、この太陽光制限部材１５０は、その素通し部１５０ｆにおいて発光素子４２からの直射光がレンズ４４に入射するのを許容する一方、その開口部５０ａの周囲に形成された複数の拡散レンズ素子１５０ｓにおいて太陽光を左右方向に拡散させることにより、レンズ４４を介して発光素子４２や光源支持部材４８に到達する太陽光の光量を大幅に低減するようになっている。すなわち、本変形例においては、太陽光制限部材１５０において太陽光を制限するための太陽光制限要素が、太陽光制限部材１５０の前面に形成された複数の拡散レンズ素子１５０ｓによって構成されている。
【００８３】
この太陽光制限部材１５０には、上記実施形態の太陽光制限部材５０の場合と同様、その上端縁の右側端部と下端縁の右側端部と左側端縁の上端部との３箇所に、後方へ向けて延びる取付ブラケット１５０ｂが延長形成されており、これら各取付ブラケット１５０ｂの後端部においてネジ５６を介してヒートシンク４６に固定されるようになっている。
【００８４】
また、この太陽光制限部材１５０には、その下端縁の左右中央部分に、前方へ向けて帯状に延びる突起片１５０ｃが延長形成されている。この突起片１５０ｃは、太陽光制限部材１５０の下端縁から前方へ向けて水平に延びるとともに、その先端部が斜め下前方へ向けて延びるように形成されている。
【００８５】
この太陽光制限部材１５０の前面は、突起片１５０ｃの先端部に位置する部分が、アルミ蒸着等の鏡面処理が施された反射面１５０ｄとして構成されている。
【００８６】
この反射面１５０ｄは、発光素子４２からの直射光の一部を上向きに反射させてレンズ４４からやや上向きの光として出射させるようになっている。
【００８７】
本変形例を採用した場合においても、太陽光制限部材１５０の存在により、太陽光がレンズ４４を介して発光素子４２や光源支持部材４８に到達するのが制限されるので、透光カバー５２に日中の強烈な太陽光が照射されるようなことがあっても、そのレンズ４４の集光作用によって発光素子４２や光源支持部材４８が高温になってしまうのを未然に防止することができる。
【００８８】
また、本変形例を採用した場合においても、太陽光制限部材５０の素通し部１５０ｆを介して発光素子４２からの直射光がレンズ４４に入射するのを許容することができる。
【００８９】
したがって本変形例によれば、太陽光によって発光素子４２や光源支持部材４８が不用意に高温になってしまうのを未然に防止することができ、これにより発光素子４２や光源支持部材４８の機能が損なわれてしまうのを未然に防止することができる。
【００９０】
また本変形例においては、太陽光制限部材１５０の前面の一部が反射面１５０ｅとして構成されているので、安価な構成で頭上標識ＯＨＳの照射を効率的に行うことができる。
【００９１】
上記変形例においては、太陽光制限部材１５０における素通し部１５０ｆの周囲の環状部分の前面に、複数の拡散レンズ素子１５０ｓが縦縞状に形成されているものとして説明したが、これら複数の拡散レンズ素子１５０ｓが縦縞状以外（例えば横縞状や格子状等）の配置で形成された構成とすることも可能である。
【００９２】
また、上記変形例においては、太陽光制限要素を構成する各拡散レンズ素子１５０ｓが凸状シリンドリカルレンズで構成されているものとして説明したが、これ以外にも、凹シリンドリカルレンズや魚眼レンズあるいはシボ加工などを適宜採用することにより、太陽光が発光素子４２や光源支持部材４８に局所的に集中して到達してしまうのを防止するようにすることも可能である。
【００９３】
さらに、上記変形例において複数の拡散レンズ素子１５０ｓが形成されている領域に、これら複数の拡散レンズ素子１５０ｓの代わりに、赤外線を反射する誘電体多層膜を成膜したり、赤外線を吸収するフィルムを設けたり、アルミ蒸着膜などの光反射膜を形成することによっても、上記変形例と同様の作用効果を得ることが可能である。
【００９４】
また、上記変形例においては、太陽光制限部材１５０における素通し部１５０ｆの周囲の環状部分に形成された複数の拡散レンズ素子１５０ｓによって太陽光制限要素が構成されているものとして説明したが、素通し部１５０ｆの周囲の一部のみ（例えば素通し部１５０ｆの下側に位置する部分のみ）に複数の拡散レンズ素子１５０ｓが形成されることにより、太陽光制限要素が構成されたものとすることも可能である。
【００９５】
さらに、上記変形例においては、太陽光制限部材１５０における軸線Ａｘを中心とする横長矩形状の領域が素通し部１５０ｆとして構成されているものとして説明したが、この素通し部１５０ｆが位置する領域に開口部が形成された構成とすることも可能である。
【００９６】
なお、上記実施形態およびその変形例において諸元として示した数値は一例にすぎず、これらを適宜異なる値に設定してもよいことはもちろんである。
【００９７】
また、本願発明は、上記実施形態およびその変形例に記載された構成に限定されるものではなく、これ以外の種々の変更を加えた構成が採用可能である。
【符号の説明】
【００９８】
１０  車両用灯具
１２  パネル部材
２０  第１灯具ユニット
２２、４２  発光素子
２４、４４  レンズ
４０  第２灯具ユニット
４２ａ  発光チップ
４４ａ  前面
４４ｂ  後面
４６  ヒートシンク
４６ａ  冷却フィン
４８  光源支持部材
５０、６０、１５０  太陽光制限部材
５０ａ、６０ａ  開口部
５０ｂ、６０ｂ、１５０ｂ  取付ブラケット
５０ｃ、１５０ｃ  突起片
５０ｄ、１５０ｄ  反射面
５０ｅ、６０ｅ  非反射面
５２  透光カバー
５２ａ  脚部
５４  ランプボディ
５６  ネジ
１５０ｆ  素通し部
１５０ｓ  拡散レンズ素子
Ａｘ  軸線
ＣＬ  カットオフライン
ＯＨＳ  頭上標識
ＰＡ  付加配光パターン
ＰＬ  ロービーム用配光パターン
Ｐ０  基本配光パターン
Ｐ１  ハイビーム用配光パターン
【図１】
2015076364.tif 000003
【図２】
2015076364.tif 000004
【図３】
2015076364.tif 000005
【図４】
2015076364.tif 000006
【図５】
2015076364.tif 000007
【図６】
2015076364.tif 000008
【図７】
2015076364.tif 000009